Podtech/llm-jp-corpus-v4-ja_patent huggingface dataset:
(57)【要約】【課題】少ない専有面積で、より多くの居住スペース及び物品収納スペースを確保でき、しかも快適な居住環境を提供できる住宅を提供すること。【解決手段】一つの階において居室及び物品収納室を上下複層に配置した住宅であって、第一居室１の上方に、第一居室を配置した基礎フロアレベルＬから上方に向かう第一階段３によって行くことができるルーフバルコニー２を配置し、基礎フロアレベルＬより上方に、第一階段３によって行くことができる第一物品収納室４又は第二居室を配置し、基礎フロアレベルＬに第三居室及び第二物品収納室５のうちの一方を配置し、その上方に、基礎フロアレベルＬから上方に向かう第二階段７によって行くことができる、第三居室６及び第二物品収納室のうちの他方を配置した住宅である。【選択図】図１
0003159470.tif 000002
【実用新案登録請求の範囲】
【請求項１】
一つの階において居室及び物品収納室を上下複層に配置した住宅であって、
第一居室の上方に、第一居室を配置した基礎フロアレベルから上方に向かう第一階段によって行くことができるルーフバルコニーを配置し、
基礎フロアレベルより上方に、第一階段によって行くことができる第一物品収納室又は第二居室を配置し、
基礎フロアレベルに第三居室及び第二物品収納室のうちの一方を配置し、その上方に、基礎フロアレベルから上方に向かう第二階段によって行くことができる、第三居室及び第二物品収納室のうちの他方を配置した住宅。
【考案の詳細な説明】
【技術分野】
【０００１】
本考案は、一つの階において居住スペース及び物品収納スペースを多くした住宅に関する。
【背景技術】
【０００２】
国土面積が狭く、住宅の専有面積を広くとることが難しい我が国においては、限られた専有面積で、できるだけ多くの居住スペース及び物品収納スペースをとることが望まれる。
【０００３】
この観点から、従来様々な提案がなされており、例えば特許文献１には、リビングの床全体を床上げして床下全体に物品収納室を形成することが提案されている。これにより、リビングの床下全体を物品収納スペースとして活用でき、物品収納スペースを多くすることができる。
【０００４】
しかし、特許文献１では、住宅全体として、居住スペース（居室）及び物品収納スペース（物品収納室）の配置が適正化されているとは言えず、快適な居住環境を提供する点からも改善の余地が残されていた。
【０００５】
これに対して本願出願人は、特許文献２及び３にて新たな住宅を提案した。この住宅によって、少ない専有面積で、より多くの居住スペース及び物品収納スペースを確保でき、しかも快適な居住環境を提供できるようになったが、住人のニーズは多様であり、さらなるバリエーション展開が求められていた。
【先行技術文献】
【特許文献】
【０００６】
【特許文献１】実用新案登録第３１１０７０７号公報
【特許文献２】実用新案登録第３１５１８３５号公報
【特許文献３】実用新案登録第３１５２５３５号公報
【考案の概要】
【考案が解決しようとする課題】
【０００７】
本考案が解決しようとする課題は、少ない専有面積で、より多くの居住スペース及び物品収納スペースを確保でき、しかも快適な居住環境を提供できる住宅の新たなバリエーションを提供することにある。
【課題を解決するための手段】
【０００８】
本考案に係る住宅は、一つの階において居室及び物品収納室を上下複層に配置した住宅であって、第一居室の上方に、第一居室を配置した基礎フロアレベルから上方に向かう第一階段によって行くことができるルーフバルコニーを配置し、基礎フロアレベルより上方に、第一階段によって行くことができる第一物品収納室又は第二居室を配置し、基礎フロアレベルに第三居室及び第二物品収納室のうちの一方を配置し、その上方に、基礎フロアレベルから上方に向かう第二階段によって行くことができる、第三居室及び第二物品収納室のうちの他方を配置したことを特徴とするものである。
【考案の効果】
【０００９】
本考案に係る住宅では、一つの階において居室及び物品収納室を上述のように上下複層に配置しているので、少ない専有面積で、より多くの居住スペース及び物品収納スペースを確保できる。しかも、ルーフバルコニーがあるので、快適な居住環境を提供できる。
【図面の簡単な説明】
【００１０】
【図１】本考案に係る住宅の一実施例を示すパース図である。
【考案を実施するための形態】
【００１１】
以下、図面に示す実施例に基づき本考案の実施の形態を説明する。
【００１２】
図１は本考案に係る住宅の一実施例を示すパース図である。なお、図１では、住宅の構成をわかりやすくするために、住宅の内外の壁や屋根の一部を取り除いて示している。
【００１３】
図１に示す住宅は、二階建てのいわゆる一軒家であり、その二階に本考案が適用されて、居室及び物品収納室が上下複層に配置されている。
【００１４】
まず、基礎フロアレベルＬに第一居室１が配置されている。そして、この第一居室１の上方にルーフバルコニー２が配置されている。このルーフバルコニー２には、基礎フロアレベルＬから上方に向かう第一階段３によって行くことができるようになっている。
【００１５】
また、基礎フロアレベルＬより上方には、第一物品収納室４が配置されている。この第一物品収納室４の下方には、後述する第四居室９の一部と廊下が配置されている。なお、このスペースにはキッチンなどを配置してもよい。
【００１６】
なお、第一物品収納室４は、そのフロアレベルを図１の例よりも下方とすることにより、第二居室とすることもできる。
【００１７】
基礎フロアレベルＬには、第一居室１のほかに第二物品収納室５が配置され、その上方に第三居室６が配置されている。この第三居室６には、基礎フロアレベルＬから上方に向かう第二階段７によってドア８を介して行くことができるようになっている。
【００１８】
なお、図１の例では、基礎フロアレベルＬに第二物品収納室５を配置し、その上方に第三居室６を配置したが、これとは逆に、基礎フロアレベルＬに第三居室６を配置し、その上方に第二物品収納室５を配置してもよい。この場合、当然、第二物品収納室５と第三居室６とを仕切る床のレベルは、図１の例よりも高いレベルとする。
【００１９】
また、図１の例では、基礎フロアレベルＬに、第一居室１に隣接して第四居室９を配置している（第一居室１と第四居室９とを仕切る縦壁は、図１では取り除いて示している。）。さらに、基礎フロアレベルＬにある図１の符号１０の位置には、浴室、洗面室、トイレ等が配置される。
【００２０】
以上の実施例では、二階建て住宅の二階に本考案を適用したが、平屋建て住宅の一階に本考案を適用することもできる。
【符号の説明】
【００２１】
１  第一居室
２  ルーフバルコニー
３  第一階段
４  第一物品収納室
５  第二物品収納室
６  第三居室
７  第二階段
８  ドア
９  第四居室
１０  浴室、洗面室、トイレ等
【図１】
0003159470.tif 000003
(57)【要約】      （修正有）【課題】保温断熱材取付工程を短縮し、製造過程のどの工程でも取り付け可能な、小型過給機ケーシングの保温断熱用着脱アタッチメントを提供する。【解決手段】アタッチメントは、小型過給機のガス入口ケーシングを包み込む馬蹄形断面のループ状のカバーと、カバーに一ヵ所以上の着脱自在な嵌め合わせ機構を有する。嵌め合わせ機構は、一端側が係止され、他端側がワンタッチ着脱手段からなる。【選択図】図２
0003159441.tif 000002
【実用新案登録請求の範囲】
【請求項１】
小型過給機のガス入口ケーシング外周に取付ける着脱自在な保温断熱用アタッチメントであって、該アタッチメントは、前記小型過給機のガス入口ケーシングを包み込む馬蹄形断面のループ状のカバーと、該カバーに一ヵ所以上の着脱自在な嵌め合わせ機構を装着したことを特徴とする小型過給機のケーシング保温断熱用着脱アタッチメント。
【請求項２】
上記嵌め合わせ機構は、一端側が係止され、他端側がワンタッチ着脱手段からなることを特徴とする請求項１に記載の小型過給機のケーシング保温断熱用着脱アタッチメント。
【考案の詳細な説明】
【技術分野】
【０００１】
本考案は、小型過給機（排気ガスタービン）ケーシングに取付ける保温断熱材に関するものである。
【背景技術】
【０００２】
これまでは、小型過給機ケーシングの両サイドに円状の保温布団を取付け、その周辺を工場にてラギング加工し、取付けていた。
【考案の概要】
【考案が解決しようとする課題】
【０００３】
保温性能は変えずに、これまで工場にて行っていた小型過給機（排気ガスタービン）ケーシングへの保温断熱材取付け工程を大幅に短縮し、３部品に分けられていた布団形状の保温断熱材部品を、一体形状にすることで船内、あるいは現場でいつでも着脱可能とし、これにより、製品製作時の保温断熱材取付け工程を大きく短縮することのみならず、製造過程の組立工程のどのタイミングでも取付け可能にし、前途の欠点を解決しようとするものである。
【課題を解決するための手段】
【０００４】
本考案は、小型過給機（排気タービン）のガス入口ケーシング外周に取付ける着脱自在な保温断熱用アタッチメントであって、該アタッチメントは、前記小型過給機のガス入口ケーシングを包み込む馬蹄形断面のループ状のカバーと、該カバーに一ヶ所以上の着脱自在な嵌め合わせ機構を装着したことを特徴とする小型過給機のケーシング保温断熱用着脱アタッチメントで、嵌め合わせ機構は、一端側が係止され、他端側がワンタッチ着脱手段からなる。小型過給機のケーシング保温断熱用着脱アタッチメントを、一体化形状にする事により、また取付け部分をこれまでの針金等で締め付けて固定していた所を嵌め合わせ機構からなる、ベルト方式へ変更する事で取付け手間を大幅に短縮し、消耗品として全体に避けられないメンテナンス時の交換においても問題点を解決できた。
【考案の効果】
【０００５】
上述の様に、本考案の一体化により製造工程で工場内にて小型過給機（排気タービン）のガス入口ケーシング外周に保温断熱材の取付けを行っていたが、これをいつでも どこでも 誰でも をテーマに取付けの簡素化を実現し、その事により機械から離す事なくメンテナンスも短時間で専門職以外のどなたにでも交換が可能となった。
【図面の簡単な説明】
【０００６】
【図１】保温施工する前の小型過給機本体を示す斜視図である。
【図２】本考案に係る取付け前の小型過給機用のケーシング保温断熱用着脱アタッチメントである一体型布団を示す斜視図である。
【図３】一体型布団を小型過給機の本体に取付けた状況を示す斜視図である。
【図４】一ヵ所以上の着脱自在な嵌め合わせ機構を介して、小型過給機本体出口保温布団を小型過給機本体出口に取付けた状況を示す斜視図である。
【考案を実施するための形態】
【０００７】
小型過給機製造過程において、組立工程のどの段階においても小型過給機（排気タービン）のガス入口ケーシング外周に保温断熱材の取付けが可能となる事で、組立て終了時でも取付けられ、また、劣化による交換時も布団さえ準備すればいつでも交換が可能であり、メンテナンスも大幅に短縮できた。
【実施例】
【０００８】
図1は、保温施工する前の小型過給機本体1を示す斜視図で、図2に図示の保温施工する前の一体型本体保温布団2を、図3に図示する如く小型過給機本体1にまるごと被せたあと、着脱自在な嵌め合わせ機構(本体取付けベルト通し)3のフランジ布団本体取付けベルト止め4aと、一体型布団取付けベルト4bと、一体型布団取付けベルト通し3を介して取付けた。小型過給機本体出口保温布団２ａを一体型本体保温布団２の上から繋ぎ、ベルト５と、ベルト止め６に固定し本体取付けベルト５にてフランジ布団取付けベルト止め６に止めて固定した。図4は、小型過給機のガス入口ケーシング外周に保温断熱材を取付けたあと、更に、保温機密性を高める出口ケーシング布団７を示している。なお、図中の符号5は、ベルトを、符号6は、ベルト止めを図示している。メンテナンス時の取替も取外し工程は上述の逆の工程を行い取り外す事が出来、取付けも現地にて可能となる。
【符号の説明】
【０００９】
1      小型過給機本体
2      一体型布団（ケーシング保温断熱用着脱アタッチメント）
2a     小型過給機本体出口保温布団
3      着脱自在な嵌め合わせ機構（本体取付けベルト通し）
4a     一体型布団取付けベルト止め
4b     一体型布団取付けベルト
5      ベルト
6      ベルト止め
7      出口ケーシング布団
【図１】
0003159441.tif 000003
【図２】
0003159441.tif 000004
【図３】
0003159441.tif 000005
【図４】
0003159441.tif 000006
(57)【要約】      （修正有）【課題】要介護者の着替えを容易化する介護服を提供する。【解決手段】袖部３を備えた前身頃１を後身頃に着脱自在に設けることによって、例えば先ず後身頃だけを要介護者の下に敷き、その後、前身頃１に設けた袖部３に腕を通させ、最後に前身頃１と後身頃を結着させる様にすることで、要介護者及び介護者の負担の軽減を図る。【選択図】図１
0003159442.tif 000002
【実用新案登録請求の範囲】
【請求項１】
袖部を備えた前身頃を後身頃に着脱自在に設けたことを特徴とする介護服。
【請求項２】
袖部は、前身頃の側部に袖本体片を延設し、該袖本体片の上端に上片部を延設すると共に、袖本体片の下端に下片部を延設し、上片部の上端と下片部の下端を着脱自在に繋ぎ留める結着具を設けたことを特徴とする請求項１記載の介護服。
【請求項３】
袖部先端にその開口を閉じる狭窄具を設けたことを特徴とする請求項１又は２記載の介護服。
【考案の詳細な説明】
【技術分野】
【０００１】
本考案は、病人や老人等の介護を受ける者が着用する介護服に関する。
【背景技術】
【０００２】
従来より、病院、老人ホーム等では、介護を受ける者（要介護者）が着用する介護服が使用されている。
介護服とは、要介護者の苦痛を和らげ、また介護を施す者（介護者）の作業負担を軽減するべく、要介護者が健常時に着用していた適切な寸法の衣服よりも、幾分大きくして、着脱（着替え）を容易化したものである。
又、着脱性の更なる向上を図るために、例えば、図５に示す様に、首部ａの開口から肩部ｂを経て袖部ｃの先端までを裁断して、袖部ｃを筒状態から展開可能とすると共に、裁断端部に設けた継代部ｄにボタン、面ファスナー等の結着具ｅを設けることで、筒状に復元可能としたものが提供されている。
【考案の概要】
【考案が解決しようとする課題】
【０００３】
ところが、上記従来の介護服は、例えば、寝たきりの要介護者の場合、先ず要介護者の向きを横向きにし、背中を側方に位置させ、上になった側の腕を一方の袖部ｃに通させ、後身頃を背中に当てつつ、要介護者を仰向けにし、その後、他方の袖部ｃと前身頃ｆの半面を要介護者の下から引きずり出し、かかる袖部ｃに反対側の腕を通させ、最後に介護服の前を合わせて結着する、との手順を踏まねばならず、袖部ｃが展開可能であっても、あまり役に立たず、要介護者に負担をかけるばかりか、介護者に高負荷労働を強いるものであった。
【課題を解決するための手段】
【０００４】
本考案は、袖部を備えた前身頃を後身頃に着脱自在に設けることによって、例えば、先ず後身頃だけを要介護者の下に敷き、その後、前身頃に設けた袖部に腕を通させ、最後に前身頃と後身頃を結着させることで、要介護者及び介護者の負担を軽減する様にして、上記課題を解決する。
【考案の効果】
【０００５】
要するに本考案は、前身頃と後身頃を分離し、袖部を前身頃側に設けたので、後身頃がシート状となり、例えば、寝たきりの要介護者の場合であっても、要介護者の下に後身頃を潜り込ませたり、要介護者を左右に順次少しだけ寝返りさせて、要介護者の下に後身頃を敷くことが容易となり、その後、両袖部に左右の腕を夫々通させると共に、胴体に前身頃を覆い被せ、最後に前身頃と後身頃を結着させれば、至極簡単に着せられ、また脱がせる場合も、上記手順を逆に行うだけで良く、要介護者及び介護者の双方にかかる負担の軽減を図ることが出来る。
【０００６】
袖部は、前身頃の側部に袖本体片を延設し、該袖本体片の上端に上片部を延設すると共に、袖本体片の下端に下片部を延設し、上片部の上端と下片部の下端を着脱自在に繋ぎ留める結着具を設けたので、結着具により上片部と下片部を繋ぎ留めることで、筒状の袖部となり、また筒状態から展開可能であり、例えば、前身頃と後身頃を結着させた後に展開状態の袖部を腕に巻き付け、最後に筒状に戻す様にしても良く、状況に応じて手順を選択させることで、更に着脱を容易にすることが出来る。
【０００７】
袖部先端にその開口を閉じる狭窄具を設けたので、例えば、肘の曲げ伸ばしが不自由な要介護者の場合、袖部を太く調製し、かかる袖部に曲げたままの状態の腕を通させる様にしても、袖部先端を狭窄することにより、袖部先端の開口を閉じて、介護服内外の空気流通を抑制し、介護服の保温性を通常の袖部の衣服と同等に保つことが出来る等その実用的効果甚だ大である。
【図面の簡単な説明】
【０００８】
【図１】請求項１の記載に係る介護服の前身頃の概略背面図である。
【図２】同上後身頃の概略正面図である。
【図３】請求項２の記載に係る介護服の前身頃の概略背面図である。
【図４】請求項３の記載に係る介護服の前身頃の要部拡大概略背面図である。
【図５】従来の介護服の概略正面図である。
【考案を実施するための形態】
【０００９】
以下、本考案の介護服につき詳細に説明する。
本考案の介護服は、図１及び２に示す様に、前身頃１と後身頃２が分離されており、袖部３は前身頃１に備えられている。
又、前身頃１の周端部に継代部４を設け、該継代部４に結着具５を設ける一方、後身頃２の周端部に結着具５を設けて、前身頃１を後身頃２に着脱自在と成している。
結着具５は、前身頃１と後身頃２を着脱自在に結着可能なものであれば特に限定せず、例えば、ボタン、ホック、ファスナー等の通常の衣服に使用されているもので良いが、安全性、使い易さの点からして面ファスナーが好適である。
【００１０】
図３に介護服の他例を示す。
この介護服は、前身頃１の側部に袖本体片６を延設し、該袖本体片６の上端に上片部７を延設すると共に、袖本体片６の下端に下片部８を延設し、上片部７の上端と下片部８の下端を着脱自在に繋ぎ留める結着具９を設けて、袖部３としており、上片部７と下片部８を繋ぎ留めることで、筒状の袖部となり、また筒状態から展開可能である。
尚、結着具９についても、上記結着具５と同様である。
【００１１】
図４に示す介護服は、袖部３の先端に狭窄具10を設けており、該狭窄具10により、先端の開口を閉じられる様にしたものである。
狭窄具10は、袖部３の先端を絞っ後、その状態を保持可能であれば良く、例えば、スポーツウゥアのズボンの腰部の様に、開口端の内周に紐保持部を周設し、かかる紐保持部に通した紐を引き絞って縛り、狭窄させる様にしても良いし、図４に示す様に、袖部３の先端表面側にベルト保持用のループ11を適宜間隔毎に周設し、一方ベルト12の一端を袖部３の表面に固定し、かかるベルト12をループ11に通して、袖部３に巻き付け、ベルト12の先端に設けた面ファスナー13をベルト12の基端寄りに設けた面ファスナー14に結着させる様にしても良い。
【符号の説明】
【００１２】
１  前身頃
２  後身頃
３  袖部
４  継代部
５  結着具
６  袖本体片
７  上片部
８  下片部
９  結着具
10  狭窄具
11  ループ
12  ベルト
13  面ファスナー
14  面ファスナー
【図１】
0003159442.tif 000003
【図２】
0003159442.tif 000004
【図３】
0003159442.tif 000005
【図４】
0003159442.tif 000006
【図５】
0003159442.tif 000007
(57)【要約】      （修正有）【課題】開削工事等の簡易土留め作業手順での、不安全体勢の手間が掛かる作業時間を短縮する腹越し吊り金具を提供する。【解決手段】この吊り金具により、手間が掛からず時間短縮になり、腹起しの取り付け作業が容易になる。また、一般的な吊り足場用のチェーンクサリに使用することができて、１本のクサリに、何段もの腹起しの固定ができる。【選択図】図２
0003159498.tif 000002
【実用新案登録請求の範囲】
【請求項１】
吊り金具本体▲４▼の形状。
【請求項２】
吊り金具図１の、フック部▲１▼の先端部の形状。
【請求項３】
吊り金具図１の、フック部▲２▼の曲線形状。
【請求項４】
吊り金具図１の、腹起しを載せる部分▲３▼の、滑り止めを施す処理。
【考案の詳細な説明】
【技術分野】
【０００１】この考案は、簡易土留め作業で、腹起しの固定に用いる金具の、形状に関する。
【背景技術】
【０００２】従来の簡易土留め作業では、腹起しの固定に１箇所に１本のクサリ等などで、一方を矢板天端部に引っ掛けて、腹起しを巻くようにして（図３）、固定している。この吊り金具（図１）は、クサリの輪の部分に直接引っ掛けて、腹起しを自由な位置に固定することが容易である。
【考案の概要】
【０００３】この技術は、開削工事の簡易土留め作業手順の、不安全体勢での腹起し取付時間短縮を、図るのが目的です。
【０００４】この吊り金具により、腹起しを自由な位置に短時間で固定ができ、尚１本のクサリで、何箇所もの固定が容易です。
【図面の簡単な説明】
【図１】正面図
【図２】実施例斜視図
【図３】従来技術
【考案を実施するための形態】
【０００５】この考案の実施形態を、（図１）に示す。この吊り金具本体▲４▼は金属製であり、１本の鋼を曲げて加工してあり、折れにくく、▲１▼のように、フック部分の先端を細くしてクサリの輪の部分に掛け易くしている。
【０００６】この吊り金具本体▲４▼は、クサリに引っかける首の部分を▲２▼の様に内側に傾ける事により、クサリの輪の部分に、掛け易くしている。
【０００７】この吊り金具本体▲４▼は、腹起しの掛かる部分▲３▼を被服して滑り止め防止措置を、施している。
【実施例】
【０００８】図２
【図１】
0003159498.tif 000003
【図２】
0003159498.tif 000004
【図３】
0003159498.tif 000005
【手続補正書】
【提出日】平成21年12月7日(2009.12.7)
【手続補正１】
【補正対象書類名】実用新案登録請求の範囲
【補正対象項目名】全文
【補正方法】変更
【補正の内容】
【実用新案登録請求の範囲】
【請求項１】
この吊り金具本体（図１−▲１▼）は、１本の鋼を曲げて加工しているので、折れにくく、また、クサリに引掛ける部分を先細にしてクサリに掛け易くしたことを特徴とする形状を有する腹起し吊り金具。
【手続補正２】
【補正対象書類名】明細書
【補正対象項目名】０００５
【補正方法】変更
【補正の内容】
【０００５】この考案の形態を、（図１）に示す。
この吊り金具本体（図１−▲１▼）は金属製であり、１本の鋼を曲げて加工してあり、折れにくく、クサリに引掛ける部分（図１−▲２▼）を先細にして架けやすくしている。
【手続補正３】
【補正対象書類名】明細書
【補正対象項目名】０００６
【補正方法】変更
【補正の内容】
【０００６】この吊り金具本体（図１−▲１▼）は、クサリを引掛ける首の部分（図１−▲３▼）を、内側に傾けることにより、クサリの輪の部分に架けやすくしている。
【手続補正４】
【補正対象書類名】明細書
【補正対象項目名】０００７
【補正方法】変更
【補正の内容】
【０００７】この吊り金具本体（図１−▲１▼）は、腹起しを載せる部分の先端（図１−▲４▼）を丸くして怪我をしないようにしている。
【手続補正５】
【補正対象書類名】明細書
【補正対象項目名】０００８
【補正方法】変更
【補正の内容】
【０００８】図２・図３
【手続補正６】
【補正対象書類名】明細書
【補正対象項目名】０００２
【補正方法】変更
【補正の内容】
【０００２】従来の簡易土留め作業では、腹起しの固定に１箇所に１本のクサリ等で、一方を矢板天端部に引掛けて、腹起しを巻く（図４）ようにして固定している。この吊り金具（図１−▲１▼）は、クサリの輪の部分に直接引掛けて、腹起しを自由な位置に固定することが容易である。
【手続補正７】
【補正対象書類名】明細書
【補正対象項目名】０００４
【補正方法】変更
【補正の内容】
【０００４】この吊り金具により、腹起しを自由な位置に短時間で固定ができ、尚１本のクサリで、何箇所もの固定が容易です。
［図面の簡単な説明］
［図１］正面図
［図２］実施例斜視図
［図３］実施例斜視図
［図４］従来技術
［考案を実施するための形態］
【手続補正８】
【補正対象書類名】図面
【補正対象項目名】全図
【補正方法】変更
【補正の内容】
【図１】
0003159498.tif 000006
【図２】
0003159498.tif 000007
【図３】
0003159498.tif 000008
【図４】
0003159498.tif 000009
【手続補正書】
【提出日】平成22年3月1日(2010.3.1)
【手続補正１】
【補正対象書類名】実用新案登録請求の範囲
【補正対象項目名】全文
【補正方法】変更
【補正の内容】
【実用新案登録請求の範囲】
【請求項１】
「この金具は、１本の鋼を曲げて加工しているので、折れにくく、また、クサリに引掛ける部分を先細りにしてクサリの輪に掛け易くしたことを特徴とする形状を有する腹起し吊り金具。」
(57)【要約】      （修正有）【課題】お餅特有のねばりつきや、つるつるした掴みにくさを少なくして、スナック感覚で手軽に食べることが出来、かつ熱がとおりやすく、味付けがしやすく、多彩なメニュー作りが出来る餅食材を提供する。【解決手段】手軽な食材にするため小さい棒状にして、表面がつるつるで滑りやすさを少なくし、溝をつけて口に入れ易くするため、ひねって丸棒状に餅を形成する。【選択図】図１
0003159495.tif 000002
【実用新案登録請求の範囲】
【請求項１】
ねじってつくる丸棒状の餅
【考案の詳細な説明】
【考案の概要】
【考案が解決しようとする課題】
【０００１】お餅特有のねばりつけ、つるつるさを少なくして、スナック感覚で手軽に食べられる食材としての餅を考案したものである。
【課題を解決するための手段】
【０００２】手軽な食材にするため小さい棒状にして、表面がつるつるで滑りやすさを少なくするため、ひねって丸棒状の餅にしたものである。
【考案の効果】
【０００３】餅表面に適度な溝があるので口に入れ易く、熱がとおりやすいので味付けがしやすくて多彩なメニュー作りが出来る餅食材である。
【図面の簡単な説明】
【０００４】ねじってつくる丸棒状の餅の平面図である
【図１】棒状の餅とねじった丸棒状の餅である。
【符号の説明】
【０００５】ねじってつくる丸棒状の餅の平面図である
１  棒状の餅
２  ねじった丸棒状の餅
【図１】
0003159495.tif 000003
(57)【要約】      （修正有）【課題】少ない電力で広いところを明るくすることができるプリズム連結照明パネルを提供する。【解決手段】三角柱のプリズムを前後左右方向に多数並べる。【選択図】図１
0003159492.tif 000002
【実用新案登録請求の範囲】
【請求項１】
プリズムの連結パネルによって少ない光源で光の量を増やした照明器具
【考案の詳細な説明】
【技術分野】
【０００１】プリズム内を光が直線で通す部分と曲げる部分での両作用によって少ない光源でもプリズムを連結パネル状にする事によってプリズムの数量分、光を増やせる
【背景技術】
【０００２】プリズムが光を直線と曲げる原理を使用
【考案の開示】
【考案が解決しようとする課題】
【０００３】少ない電量での照明
【課題を解決するための手段】
【０００４】連結されたプリズム及びレンズにより光源を増やす
【考案の効果】
【０００５】増加する電力消費を減らす
【図面の簡単な説明】
【０００６】
【図１】プリズム連結照明パネル立体図
【符号の説明】
【０００７】イ・・プリズム連結照明パネル    ロ・・光源    ハ・・光の道    ニ・・レンズ
【図１】
0003159492.tif 000003
【手続補正書】
【提出日】平成21年11月24日(2009.11.24)
【手続補正１】
【補正対象書類名】実用新案登録請求の範囲
【補正対象項目名】全文
【補正方法】変更
【補正の内容】
【実用新案登録請求の範囲】
【請求項１】
プリズム状の三角面を左右に、４５度角を手前下に置き、四角い一面を下に、異方の四角い面を前面にした状態の物を多数縦列させ、縦列させ物を多数横列した形状の物
【手続補正書】
【提出日】平成22年3月1日(2010.3.1)
【手続補正１】
【補正対象書類名】実用新案登録請求の範囲
【補正対象項目名】全文
【補正方法】変更
【補正の内容】
【実用新案登録請求の範囲】
【請求項１】
三角柱のプリズムを前後左右方向に多数、並べた形状のプリズム連結照明パネル
(57)【要約】      （修正有）【課題】自然充電を可能にするノートパソコンを提供する。【解決手段】ノートパソコンのふたをしめた上部に、プラスチック素材の太陽光を利用するソーラーパネルを設置する。【選択図】図１
0003159500.tif 000002
【実用新案登録請求の範囲】
【請求項１】
明細書
「産業上の利用分野」
「０００１」
携帯電話（３）やノートパソコン（４）ミニｐｃ（５）の直射日光のあたる面に太陽光パネル（１）をとりつけて、直接またはケーブル（２）によって電力を充電する。
【考案の詳細な説明】
【技術分野】
【背景技術】
【０００１】携帯電話（３）にはソーラーパネル（１）がついたが、ノートパソコン（４）やミニノート（５）には充電する技術そのものがなかった。
【技術背景】
【０００２】ソーラーパネルの技術はあったが、ノートパソコン（４）やミニパソコン（５）にはなかった。技術の進歩で今回の考案となった。
【考案が解決しようとする課題】
【０００３】ノートパソコン（４）ミニパソコン（５）などは、充電がわずらわしく不便であり、かつソーラーパネル（１）により、自然の充電を可能にする。
【考案が解決しようとする手段】
【０００４】ノートパソコン（４）ミニパソコン（５）の充電を自然界の太陽光でソーラーパネル（１）で充電する。またはケーブル（２）で充電を可能にする。
【作用】
【０００５】ノートパソコン（４）ミニパソコン（５）携帯電話（３）などをソーラーパネル（１）で充電する。
【実施例１】
【０００６】ソーラーパネル（１）で、充電する。
【考案の効果】
【０００７】ソーラーパネル（１）で、ノートパソコン（４）ミニパソコン（５）を充電できる実用新案。
［手続書類］
【０００８】［対象書類名］  図面
［対象項目名］  全図
［図面  １］
【符号の説明】
【０００９】１は、ソーラーパネル
２は、ケーブル
３は、携帯電話
４は、ノートパソコン
５は、ミニパソコン
0003159500.tif 000003
【手続補正書】
【提出日】平成21年12月27日(2009.12.27)
【手続補正１】
【補正対象書類名】実用新案登録請求の範囲
【補正対象項目名】全文
【補正方法】変更
【補正の内容】
【実用新案登録請求の範囲】
【請求項１】
携帯電話（３）にはソーラーパネル（１）がついていたが、ノートパソコン（４）やミニノート（５）には充電する技術そのものがなかったよってこの今回の考案となった。
【手続補正２】
【補正対象書類名】明細書
【補正対象項目名】全文
【補正方法】変更
【補正の内容】
【考案の詳細な説明】
【技術分野】
【０００１】
【背景技術】
【０００２】
【先行技術文献】
【特許文献】
【特許文献】携帯電話（３）にはソーラーパネル（１）がついたが、ノートパソコン（４）やミニノートパソコン（５）には充電する技術がなくよってこの今回の考案になった。
【技術分野】
【背景技術】
【０００３】ソーラパネルの技術はあったが、ノートパソコン（４）やミニパソコン（５）にはなかった。よってこの今回の考案となった。
【考案が解決しようとしている課題】
【０００４】ノートパソコン（４）ミニパソコン（５）などは、充電がわずらわしく不便でありかつソーラーパネル（１）により自然充電を可能にする今回の考案となった。
【考案が解決しようとする手段】
【０００５】ノートパソコン（４）ミニパソコン（５）の充電を自然界の太陽光でソーラパネル（１）で充電する。またはケーブル（２）で充電を可能にする今回の考案になった。
【図面の簡単な説明】
【０００６】
【図１】「ソーラパネルを示す図面である］
【考案を実施するための形態】
【０００７】ソーラパネル（１）で、充電している今回の考案となった。
【産業上の利用形態】
【０００８】
【符号の説明】
【０００９】１は、ソーラーパネル
２は、ケーブル
３は、携帯電話
４は、ノートパソコン
５は、ミニパソコン
【手続補正３】
【補正対象書類名】図面
【補正対象項目名】全図
【補正方法】変更
【補正の内容】
【図１】
0003159500.tif 000004
【手続補正書】
【提出日】平成22年2月24日(2010.2.24)
【手続補正１】
【補正対象書類名】実用新案登録請求の範囲
【補正対象項目名】全文
【補正方法】変更
【補正の内容】
【実用新案登録請求の範囲】
【請求項１】
ノートパソコンのフタをしめた上部にプラスチック素材の太陽光を利用するソーラーパネルを設置して成り、前記ソーラーパネルにより充電することを特長とするノートパソコン
【手続補正２】
【補正対象書類名】明細書
【補正対象項目名】全文
【補正方法】変更
【補正の内容】
【考案の詳細な説明】
【技術分野】
【０００１】
【背景技術】
【０００２】
【先行技術文献】
【特許文献】
【特許文献】携帯電話（３）にはソーラーパネル（１）がついたが、ノートパソコン（４）やミニノートパソコン（５）には充電する技術がなくよってこの今回の考案になった。
【技術分野】
【背景技術】
【０００３】ソーラパネルの技術はあったが、ノートパソコン（４）やミニパソコン（５）にはなかった。よってこの今回の考案となった。
【考案が解決しようとしている課題】
【０００４】ノートパソコン（４）ミニパソコン（５）などは、充電がわずらわしく不便でありかつソーラーパネル（１）により自然充電を可能にする今回の考案となった。
【考案が解決しようとする手段】
【０００５】ノートパソコン（４）ミニパソコン（５）の充電を自然界の太陽光でソーラパネル（１）で充電する。またはケーブル（２）で充電を可能にする今回の考案になった。
【図面の簡単な説明】
【０００６】
【図１】「ソーラパネルを示す図面である」
【考案を実施するための形態】
【０００７】ソーラパネル（１）で、充電している今回の考案となった。
【産業上の利用形態】
【０００８】
【符号の説明】
【０００９】１は、ソーラーパネル２は、ケーブル３は、携帯電話４は、ノートパソコン５は、ミニパソコン
【手続補正３】
【補正対象書類名】図面
【補正対象項目名】全図
【補正方法】変更
【補正の内容】
【図１】
0003159500.tif 000005
(57)【要約】      （修正有）【課題】表生地と裏生地との二重構造の防寒用上衣であっても、背面部の表生地に、プリント等の加工が施し易い防寒用上衣を提供する。【解決手段】防寒用上衣の上衣本体１は、表生地２と裏生地３の二重構造とし、裏生地３の後身頃中央より、左後身頃３ａと右後身頃３ｂに二分する。裏生地３の両後身頃３ａ，３ｂのそれぞれ中央端部を適宜な幅部Ａで重なり合う重合部３ｃを設け、重合部に、適宜な間隔でベルクロファスナー４を設け、裏生地３の両後身頃３ａ，３ｂを着脱可能とする。【選択図】図２
0003159401.tif 000002
【実用新案登録請求の範囲】
【請求項１】
防寒用上衣において、上衣本体（１）は、表生地（２）と裏生地（３）の二重構造とし、該裏生地（３）の後身頃中央より、左後身頃（３ａ）と右後身頃（３ｂ）に二分して設け、これら裏生地（３）の両後身頃（３ａ，３ｂ）のそれぞれ中央端部を適宜な幅（Ａ）で重なり合う重合部（３ｃ）を設け、該重合部に、適宜な間隔でベルクロファスナー（４）を設け、裏生地（３）の両後身頃（３ａ，３ｂ）を、着脱可能としたことを特徴とする防寒用上衣。
【考案の詳細な説明】
【技術分野】
【０００１】
この考案は、防寒用上衣に関するものであり、特に、合成樹脂繊維で構成された生地を素材とし、かつ、裏生地を有する防寒用上衣に関するものである。
【背景技術】
【０００２】
従来より、この防寒用上衣は、スポーツやイベント等に使用され、表面材は裏面材との二重構造として縫着されており、単に防寒用上衣として着用するだけでなく、該上衣の表面材の背面には、社名、チーム名、学校名、会社のコマーシャル等の文字や図柄等をプリント、転写、あるいは刺繍して表示するものが多くあった。
【０００３】
しかし、大抵は、上衣の背面に、プリント、転写、刺繍加工等を施す場合には、上衣の構造は、汗等が表面材が付着しないよう、メッシュ生地の裏面材を有しており、二重であるため、表面材と裏面材とを重ねてプリント、転写するため、裏面材の素材が表面材に写つてしまい、綺麗な仕上がりとならず、さらには、刺繍加工等を施す場合には、裏面材の一部を取り外して行っており、それらの作業が不便であり、作業効率も悪いものであった。
【０００４】
このように、ウインドブレーカー等の上衣については、吸湿性とか伸縮性等か重視され、上衣の背面、即ち，表面材の後身頃にプリント、転写、刺繍加工等を施すための構造はなかった。例えば、特許文献１のように。
【先行技術文献】
【特許文献】
【０００５】
【特許文献１】登録第３０６０５０７号実用新案公報
【考案の概要】
【考案が解決しようとする課題】
【０００６】
そこで、この考案の課題は、表生地と裏生地との二重構造の防寒用上衣であっても、背面部の表生地に、プリント等の加工が施し易い防寒用上衣を開発・提供することにある。
【課題を解決するための手段】
【０００７】
この考案による課題を解決するための手段として、防寒用上衣の裏生地に工夫を施し、極めて簡単にプリント等の加工が行える防寒用上衣とするものである。
【考案の効果】
【０００８】
この考案によると、防寒用上衣の後身頃の裏生地を中央部から二分する構造としたため、表生地の表面にプリント等の加工を施す時には、裏生地の後左身頃と後右身頃とを左右にそれぞれ、捲って、表生地の後身頃をヒートプレス機等の作業台（Ｂ）に容易に装着でき、加工後には、該作業台より取り外して元に戻し、ベルクロファスナーで止めれば、後左身頃と後右身頃とが連接されると共に、加工作業が楽に行え、美麗なプリント、転写、さらには刺繍もできる等極めて有益なる効果を有するものである。
【図面の簡単な説明】
【０００９】
【図１】この考案の一実施例を示す正面図である。
【図２】この考案の一実施例を示し、前身頃を開いた状態の正面図である。
【図３】この考案の一実施例を示す一部欠截断面図である。
【図４】この考案の使用状態の一例を示す一部欠截斜視図である。
【考案を実施するための形態】
【００１０】
以下、この考案の好適な実施の形態について述べると、防寒用上衣であって、該上衣本体（１）の防寒用のために表生地（２）の内側に裏生地（３）を設けた二重構造となっており、の裏生地（３）の後身頃（３ａ）を、中央より縦方向に二分可能に設け、これらは、ベルクロファスナー（４）を、適宜な間隔に設けて、着脱可能に構成した防寒用上衣から構成されるものである。
【実施例】
【００１１】
この考案の一実施例を図面に従って詳細に説明すると、防寒用上衣において、上衣本体（１）は、表生地（２）と裏生地（３）の二重構造とし、該裏生地（３）の後身頃中央より、左後身頃（３ａ）と右後身頃（３ｂ）に二分して設け、これら裏生地（３）の両後身頃（３ａ，３ｂ）のそれぞれ中央端部を適宜な幅部（Ａ）で重なり合う重合部（３ｃ）を設け、該重合部に、適宜な間隔でベルクロファスナー（４）を設け、裏生地（３）の両後身頃（３ａ，３ｂ）を、着脱可能としたことを特徴とする防寒用上衣から構成される。
【００１２】
尚、防寒用上衣の具体的な一例としては、運動用あるいは作業用のユニホォーム、ヤッケ、ジャンパー、アノラック等をいい、その構造は、前・後身頃、袖等全面を裏生地（２）で覆うよう縫着されたり、あるいは、前・後身頃のみを覆って縫着したものである。
【００１３】
また、少なくとも、該上衣本体（１）の表生地（２）の素材は、合成樹脂繊維を素材とした生地であり、プリント及び、転写可能な素材であり、さらに、刺繍も可能なものである。また、裏生地（３）の素材の一例としては、メッシュ状の生地素材を用いる。
【００１４】
さらに、裏生地（３）の後身頃（２ａ）は、多少、重なる部分を有しており、その箇所に、ベルクロファスナー（３）を設けたものである。
【産業上の利用可能性】
【００１５】
この考案の防寒用上衣の技術を確立し、この装置を実施・販売することにより、産業上利用可能性を有するものである。
【符号の説明】
【００１６】
１  上衣本体
２  表生地
３  裏生地
３ａ  左後身頃
３ｂ  右後身頃
３ｃ  重合部
４  ベルクロファスナー
Ａ  幅部
Ｂ  作業台
【図１】
0003159401.tif 000003
【図２】
0003159401.tif 000004
【図３】
0003159401.tif 000005
【図４】
0003159401.tif 000006
(57)【要約】【課題】紙製縦長筒容器に、米を充填することにより、販売店の棚等に目立つように多数横並びに並べて置くことができ、また購入者が家庭の冷蔵庫や棚等に簡単に置いておくことができる。【解決手段】紙製筒型形状の底の部分に、プラスチックの製の下蓋を有し、上蓋は商品の取出し口でプラスチック製、蓋の上部で開閉し、蓋の下部が計量カップとし機能を持つ、コンパクトサイズな米用パッケージ。【選択図】図１
0003159489.tif 000002
【実用新案登録請求の範囲】
【請求項１】
紙製筒型形状の底の部分に、プラスチックの製の下蓋を有し、上蓋は商品の取出し口でプラスチック製、蓋の上部で開閉し、蓋の下部が計量カップとなる機能を持つ、コンパクトサイズな米用パッケージ。
【考案の詳細な説明】
【技術分野】
【０００１】本考案は、必要量の米を計量して取り出すことができるようにした米用パッケージに関するものである。
【背景技術】
【０００２】一般に、米は５キロ、１０キロ等所定量を袋詰めした形で売られており、一般家庭では、炊飯に際してこの袋詰めされた米を、計量カップなどで計量して取り出している。
【考案の概要】
【考案が解決しようとする課題】
【０００３】従来の単なる袋詰めの米では、販売店に上下に積み重ねて置かねばならず、店頭で目立つように棚等に、横に多数並べて置くにはスペースを多く要すると共に、棚に縦又は斜めに置かないと、商品の正面部が見え難くなる。
そこで、米を充填することにより、販売店の棚等に目立つように多数横並びに置くことができ、また購入者が家庭の冷蔵庫や棚等に、簡単に置いておくことができるパッケージが必要とされていた。
【課題を解決するための手段】
【０００４】本考案は、紙製筒型形状の底の部分にプラスチック製の下蓋を有し、上蓋は商品の取出口でプラスチック製、蓋の上部で開閉し、蓋の下部が計量カップとしての機能を持つ、コンパクトサイズな米用パッケージ。
紙製筒には、１キロの米を真空パックで保管し、プラスチック蓋で密閉するものである。
【図面の簡単な説明】
【０００５】
【図１】  この考案の詳細を示す正面図である。
【図２】  この考案の詳細を示す断面図である。
【考案を実施するための形態】
【０００６】図１、２で、本考案を説明する。
【符号の説明】
【０００８】１  上蓋  取り出し口
２  円柱容器  商品保管部分
３  下蓋  止め栓
【図１】
0003159489.tif 000003
【図２】
0003159489.tif 000004
【手続補正書】
【提出日】平成21年10月29日(2009.10.29)
【手続補正１】
【補正対象書類名】実用新案登録請求の範囲
【補正対象項目名】全文
【補正方法】変更
【補正の内容】
【実用新案登録請求の範囲】
【請求項１】
紙製筒型形状の底の部分に、プラスチック製の下蓋を有し、上蓋は商品の取り出し口でプラスチック製、蓋の上部で開閉と、上蓋の下部が計量カップとなる機能を持つ、コンパクトサイズな米用パッケージ。
【手続補正書】
【提出日】平成21年12月26日(2009.12.26)
【手続補正１】
【補正対象書類名】実用新案登録請求の範囲
【補正対象項目名】全文
【補正方法】変更
【補正の内容】
【実用新案登録請求の範囲】
【請求項１】
紙製筒型形状の底の部分に、プラスチックの製の下蓋を有し、上蓋は商品の取出し口でプラスチック製、上蓋の上部で開閉し、その上蓋の上部が計量力となる機能を持つ、コンパクトサイズな米用パッケージ。
【手続補正書】
【提出日】平成22年2月23日(2010.2.23)
【手続補正１】
【補正対象書類名】実用新案登録請求の範囲
【補正対象項目名】全文
【補正方法】変更
【補正の内容】
【実用新案登録請求の範囲】
【請求項１】
紙製筒型形状の底の部分に、プラスチックの製の下蓋を有し、上蓋は商品の取出し口でプラスチック製、上蓋の上部で開閉し、その上蓋の上部が計量カップとなる機能を持つ、コンパクトサイズな米用パッケージ。
(57)【要約】【課題】筋力の弱った人でも使用できるリハビリ器具を提供すること。【解決の手段】前後、左右に移動するペダル１・２に乗って、これを前後に操作するペダル１・２を前後に駆動する左右一対のハンドル３・４を備えた健康器具に、前記ペダル１・２に足を載せて操作するために座る椅子７と、前記椅子７に座って、前記８・９を操作する補助ハンドルを設けたことを特徴とするリハビリ器具である。【選択図】図１
0003159690.tif 000002
【実用新案登録請求の範囲】
【請求項１】
前後、交互に移動するペダルに乗って、これを前後に操作するとともに、ペダルを前後に駆動する左右一対のハンドルを備えた健康器具に、前記ペダルに足を載せて操作するとともに、座る椅子と前記椅子に座って、前記ハンドルを操作する補助ハンドルを設けたことを特徴とするリハビリ器具。
【考案の詳細な説明】
【背景の分野】
【０００１】  本考案は、障害者が筋力を強化するために使用するリハビリ器具
【背景の技術】
【０００２】  従来の健康器具は、健康者が筋力の強化及び運動不足を解消する器具で、健康者が健康器具の上に立ち上がり手足を交互に操作するものである。
【０００３】  この器具は、図２に示すように、前後、交互に移動するペダル１・２に乗って、これを前後に操作するとともに、左右ペダル１．２を前後に駆動する左右一対のハンドル３・４を備えたものである。なお、図中５・６は、支持脚である。
【考案の概要】
【考案解決しようとする課題】
【０００４】  しかし、従来の健康器具は、足腰が弱って道路で数回倒れて以後、散歩をおそれて、病状が悪化した人には不向きであった。このように弱った筋肉の人でも使用できるリハビリ器具を提供することを課題とする。
【０００５】  上記課題を解決するために、本考案が提供するリハビリ器具は、前後、交互に移動するペダルに乗って、これを前後に駆動する左右一対のハンドルを備えた健康器具に、前記ペダルに足をのせて操作するために座る椅子と前記椅子に座って操作する補助ハンドルを設けたことを特徴とするものである。
【考案の効果】
【０００６】  本考案のリハビリ器具は、従来の健康器具に、これを操作するために使用する椅子とこの椅子に座って手で操作する補助ハンドルを設けたもので、病みあがりで筋力の弱った人でも使用できる。
【図面の簡単な説明】
【０００７】
【図１】本考案の実施例の斜視図
【図２】従来の健康器具の斜視図
【０００８】  以下、図１・２図を参照しながら本考案の実施の形態を説明する。【０００９】  ７の椅子を従来の健康器具の後方に設置する。【００１０】  ８・９は補助ハンドルである。左右の補助ハンドル８・９の先に穴をあける。左右のハンドル３と４の中央に穴をあけボルトで締め付けることで補助ハンドル８・９は固定する。障害者は、椅子７に座りながら、ペダル１・２に足を載せて、補助ハンドル８・９を握り、手足を交互に操作することで、体全体を動かすことができる。また、障害者がリハビリ操作中に、助手がリハビリ器具の前方に回り、ハンドル３・４を操作することで、障害者のリハビリの手助けとなる。
【符号の説明】
【００１１】１  左ペダル
２  右ペダル
３  左ハンドル
４  右ハンドル
５  支持脚
６  支持脚
７  椅子
８  左補助ハンドル
９  右補助ハンドル
【図１】
0003159690.tif 000003
【図２】
0003159690.tif 000004
【手続補正書】
【提出日】平成22年3月2日(2010.3.2)
【手続補正１】
【補正対象書類名】実用新案登録請求の範囲
【補正対象項目名】全文
【補正方法】変更
【補正の内容】
【実用新案登録請求の範囲】
【請求項１】
左右一対のハンドルに左右一対のペダルをボルトで固定することによるハンドルとペダルの連係動作を可能にし、又左右一対のハンドルに左右一対の補助ハンドルをそれぞれボルトで固定し椅子を使用することで座位にて補助ハンドルを握って操作することを特徴とするリハビリ器具。
(57)【要約】      （修正有）【課題】頭部から首、上腕部などから冷気が入りにくく、十分な保温効果が得ることが出来る防寒着用寝具を提供する。【解決手段】前身頃と、後身頃の脇部分を切り離した形状にし、後身頃に枕または頭部を乗せる。前身頃開口部をボタン、スナップ、ファスナー、マジックテープ（登録商標）、又は、紐にて閉じる仕組みにする。【選択図】図１
0003159651.tif 000002
【実用新案登録請求の範囲】
【請求項１】
前身頃と後身頃の脇部分を切り離すことで、後身頃の上に枕または頭部を乗せることにより、布団の隙間からの冷気をさえぎることが出来き、寝返りを打っても体から離れないことを特徴とする防寒着用寝具。
【請求項２】
前身頃と後身頃とを反対に置き、前身頃の部分に枕または頭部を乗せて使用することも可能な請求項１に記載の防寒着用寝具。
【請求項３】
前身頃の切り込み部分の接続は、着用後、ボタン及びスナップ及びファスナー及びマジックテープ（登録商標）及び紐のうちの少なくともいずれか1で閉じることが可能な請求項１または請求項２に記載の防寒着用寝具。
【請求項４】
生地の内側に中綿を縫い付けてある請求項１〜３のいずれか１に記載の防寒着用寝具。
【請求項５】
就寝時、敷布団の上に後身頃を広げ、枕または頭部を乗せ、着用し、前身頃の上から掛布団を掛けて、就寝具と組み合わせて使用する、請求項１〜４のいずれか１に記載の防寒着用寝具。
【考案の詳細な説明】
【技術分野】
【０００１】
本考案は、就寝時に風を通さず保温効果のある着衣に関するものであり、さらに詳しくは、首から肩・背中にかけての布団開口部、上腕部からの冷気の侵入を防ぐことが出来ることを特徴とする、防寒着用寝具に関するものである。
【背景技術】
【０００２】
従来の肩当て等の防寒着用寝具は、体に密着する形であり、洋服や寝巻きのように完全に着用する形である。
【先行技術文献】
【特許文献】
【０００３】
【特許文献１】実開平７‐３３１６５号公報
【考案の概要】
【考案が解決しようとする課題】
【０００４】
しかしながら、以上の技術によれば、肩は一見暖かいようではあるが、結局は頭と首から肩にかけての布団の隙間、上腕部の布団の隙間から冷風が入ることを防ぐことはできず、大した保温効果は得られない。
そこで、この考案は、就寝時、いかに布団の隙間から冷気が入らないようにするかということを提供することを課題とする。
【課題を解決するための手段】
【０００５】
本考案は上記従来の課題を解決するためになされたものであり、図２のように本考案品を寝具（敷布団1、掛け布団1）にセットし、後身頃ｂの上に枕Ａ、または頭部を乗せ、前身頃ｅを閉じることにより、布団の隙間からの冷気をさえぎることが出来ることを特徴とする防寒着用寝具である。
【考案の効果】
【０００６】
よって、就寝時に肩や首、上腕部からの冷気が布団の隙間から入ることがなく、保温効果にも優れている。
【図面の簡単な説明】
【０００７】
【図１】この考案の実施形態を示す
【図２】本考案の実施例の使用した状態を示す正面図である
【考案を実施するための形態】
【０００８】
本考案の防寒着用寝具の実施例を、以下図面に基いて詳細に説明する。
長方形の生地を中表にし、半分に折り曲げる。あるいは生地二枚を中表にして置く。体に当たる面の中心部分に中綿（図1Ｂ）を置いて、左右の端（図１ａ）を裏から縫い合わせる。生地を二枚使用したときは後身頃の端部分（図1ｂ）も裏から縫い合わせる。次いで、前身頃の開閉部分（図1ｃ）を切り、頭部を通す襟ぐり（図1ｄ）を切って作る。次いで、切り離した部分（図1ｃ，ｄ）の裏から縫い合わせる。前身頃の端部分（図1ｅ）から表に返す。さらに、前身頃の端部分（図1ｅ）の表と裏を閉じるように縫い合わせる。前身頃の開閉部分（図1ｃ）に、ボタンまたはスナップ、ファスナー、マジックテープ（登録商標）、紐等を取り付け、脱着可能な形の防寒着用寝具であり、実施例として、あらかじめ敷布団の上に本考案防寒着用寝具を置き、後身頃部分に枕（図１Ａ）を乗せてから、布団に体を横たえて本考案防寒着用寝具を着用することにより、頭部から肩、上腕部の布団の隙間からの冷気を防ぐことができ、本考案防寒着用寝具の清潔を保つこともできる。また、使用者の必要に応じて、本考案の他の実施例としては、あらかじめ着用しておき、就寝時に後身頃部分に枕（図１Ａ）または頭部を乗せることにより、頭部から肩、上腕部の布団の隙間からの冷気を防ぐことができ、前身頃と後身頃を反対に使用することも可能な防寒着用寝具である。
【０００９】
「実施形態の効果」
本考案の防寒着用寝具は、上記のように簡単に着用することができ、枕（図1Ａ）または頭部を後身頃の上に乗せることにより首の隙間から冷気の侵入を防ぎ、寝返りを打っても、枕や頭部に本考案が固定されている状態であるため、寝返りを打っても体から離れることがなく、さらに生地の内側に中綿が縫い付けてあるため、さらなる保温効果が得られる。
【符号の説明】
【００１０】
Ａ  枕
Ｂ  中綿
ａ  前・後身頃  端部分
ｂ  後身頃  裾部分
ｃ  前身頃  脱着用開口部分
ｄ  襟ぐり
ｅ  前身頃  裾部分
１  敷布団
２  掛布団
３  本考案  防寒着用寝具
【図１】
0003159651.tif 000003
【図２】
0003159651.tif 000004